(57)【要約】【課題】ネットワークと通信可能な端末機器を持つユーザに対し、配信者側からユーザに適合した音楽コンテンツを配信し、音楽コンテンツの販売機会を増やす、音楽コンテンツ配信装置を提案することを目的とする。【解決手段】ネットワーク２経由でクライアント端末１に音楽コンテンツを配信する音楽コンテンツ配信装置であって、ネットワーク２上のウェブサーバ４に接続したクライアント端末１からのウェブコンテンツ送信要求に際し、クライアント端末１に応じた音楽コンテンツを選択する音楽コンテンツ選択手段７と、該音楽コンテンツ選択手段７により選択された音楽コンテンツを、ウェブコンテンツと結合させてウェブサーバ４に供給する結合手段５とを備えるものである。【選択図】  図１
2004341229.tif 000002
【特許請求の範囲】
【請求項１】
ネットワーク経由でクライアント端末に音楽コンテンツを配信する音楽コンテンツ配信装置であって、
前記ネットワーク上のウェブサーバに接続した前記クライアント端末からのウェブコンテンツ送信要求に際し、前記クライアント端末に応じた音楽コンテンツを選択する音楽コンテンツ選択手段と、
該音楽コンテンツ選択手段により選択された音楽コンテンツを、前記ウェブコンテンツと結合させて前記ウェブサーバに供給する結合手段とを備える
ことを特徴とする音楽コンテンツ配信装置。
【請求項２】
請求項１記載の音楽コンテンツ配信装置において、
前記音楽コンテンツ選択手段として、音楽コンテンツ及び当該音楽コンテンツに付随する情報を蓄積している音楽コンテンツ情報蓄積部と、
前記クライアント端末の利用者に関する情報を蓄積している利用者情報蓄積部と、
前記クライアント端末の利用者情報に基づき音楽コンテンツ情報を選択する音楽コンテンツ選択部とを有する
ことを特徴とする音楽コンテンツ配信装置。
【請求項３】
請求項２記載の音楽コンテンツ配信装置において、
前記クライアント端末利用者への音楽コンテンツの配信状況または利用者の反応状況に応じて、前記利用者情報蓄積部に蓄積されている前記利用者情報を更新する利用者情報計算部を有する音楽コンテンツ更新手段を備える
ことを特徴とする音楽コンテンツ配信装置。
【請求項４】
ネットワーク経由でクライアント端末に音楽コンテンツを配信する音楽コンテンツ配信装置であって、
前記ネットワーク上の所定のウェブサーバに接続した前記クライアント端末からのウェブ・コンテンツ送信要求に際し、当該ウェブコンテンツに、前記クライアント端末に応じた音楽コンテンツを付加する音楽コンテンツ付加手段を備えることを特徴とする音楽コンテンツ配信装置。
【請求項５】
請求項４記載の音楽コンテンツ配信装置において、
前記音楽コンテンツ付加手段は、音楽コンテンツ及び当該音楽コンテンツに付随する情報を蓄積している音楽コンテンツ情報蓄積部と、前記クライアント端末の利用者に関する情報を蓄積している利用者情報蓄積部と、前記クライアント端末の利用者情報に基づき音楽コンテンツ情報を選択する音楽コンテンツ選択部と、からなる音楽コンテンツ選択手段と、
該音楽コンテンツ選択手段により選択された音楽コンテンツを、前記ウェブコンテンツと結合させて前記ウェブサーバに供給する結合手段とから構成される
ことを特徴とする音楽コンテンツ配信装置。
【請求項６】
請求項５記載の音楽コンテンツ配信装置において、
前記クライアント端末利用者への音楽コンテンツの配信状況または利用者の反応状況に応じて、前記利用者情報蓄積部に蓄積されている前記利用者情報を更新する利用者情報計算部を有する音楽コンテンツ更新手段を備える
ことを特徴とする音楽コンテンツ配信装置。
【請求項７】
ネットワーク経由でクライアント端末に音楽コンテンツを配信する音楽コンテンツ配信システムであって、
前記クライアント端末から前記ネットワーク上の任意のウェブサーバへの接続を仲介するとともに、前記ネットワーク上のウェブサーバに接続した前記クライアント端末からのウェブコンテンツ送信要求に際し、当該ウェブコンテンツに、前記クライアント端末に応じた音楽コンテンツを付加するサーバを備える
ことを特徴とする音楽コンテンツ配信システム。
【請求項８】
請求項７記載の音楽コンテンツ配信システムにおいて、
前記サーバは、音楽コンテンツ及び当該音楽コンテンツに付随する情報を蓄積している音楽コンテンツ情報蓄積部と、前記クライアント端末の利用者に関する情報を蓄積している利用者情報蓄積部と、前記クライアント端末の利用者情報に基づき音楽コンテンツ情報を選択する音楽コンテンツ選択部と、からなる音楽コンテンツ選択手段と、
該音楽コンテンツ選択手段により選択された音楽コンテンツを、前記ウェブコンテンツと結合させて前記ウェブサーバに供給する結合手段とを有する
ことを特徴とする音楽コンテンツ配信システム。
【請求項９】
請求項８記載の音楽コンテンツ配信システムにおいて、
前記サーバは、前記クライアント端末利用者への音楽コンテンツの配信状況または利用者の反応状況に応じて、前記利用者情報蓄積部に蓄積されている前記利用者情報を更新する利用者情報計算部を有する音楽コンテンツ更新手段を備える
ことを特徴とする音楽コンテンツ配信システム。
【発明の詳細な説明】
【０００１】
【発明の属する技術分野】
本発明は、例えば、インターネット等のネットワークを経由して音楽コンテンツを配信する音楽コンテンツ配信装置及び音楽コンテンツ配信システムに関する。
【０００２】
【従来の技術】
従来、例えばインターネット等のネットワーク経由で音楽コンテンツ（以下、単にコンテンツとも称する。）を配信する、または配信した音楽コンテンツに対し所定料金を課金するコンテンツ配信サービスでは、ユーザにおすすめコンテンツに関する情報を、ユーザの通信機能を備えた端末の表示画面上に提示することによって、コンテンツの販売機会を増やそうとしているものがある。
【０００３】
しかし、この従来のコンテンツ配信サービスシステムでは、おすすめコンテンツをリストアップし、コンテンツの説明やコンテンツのメタ情報を提示しているが、その提示された説明やメタ情報のみでユーザがそのコンテンツに興味を持たなければ、販売機会を作ることはできないという問題があった。
【０００４】
一方、テレビジョン放送（以下、テレビと称する。）等のコマーシャル用のＢＧＭ（バック・グラウンド・ミュージック）として流れる、いわゆるＣＭソングや、またはドラマなどの主題歌がヒットすることが多いように、ユーザに実際に耳で聞かせることによる販売促進効果が大きいことはよく知られている。そこで、例えば、テレビやラジオ、街中などから流れる音楽コンテンツをユーザが所有する端末機器で受信し、電子透かし技術等を使ってその音楽コンテンツに埋め込まれた曲情報を抽出して表示させて、曲情報を知ることができる端末機器が提案されている（例えば、特許文献１参照）。
【０００５】
【特許文献１】
特開平２００２−９１４５５号公報
【０００６】
【発明が解決しようとする課題】
しかしながら、上述特許文献１に記載のものは、流れている音楽の曲情報を得るために、音楽コンテンツに埋め込まれた曲情報を検出するための専用の端末機器を必要とし、かつ、流れている音楽は必ずしもユーザの好みの音楽ばかりではないので、配信した音楽コンテンツを販売しようとする場合には、効率がよくないという問題があった。
【０００７】
また、ネットワーク上にコンテンツ配信用Ｗｅｂサイトを開設し、ネットワーク経由での視聴によって、実際にユーザに音楽を聴かせることができるシステムを採用しているコンテンツ配信サービスがある。
【０００８】
しかしながら、この視聴方式では、実際に耳で聞くかどうかは、ユーザ自身がその音楽を選択し自身の端末にダウンロードして視聴するかどうかにかかっており、潜在的な販売機会を逃している場合があると考えられる。さらに、従来のコンテンツ配信サービスＷｅｂサイトの販売コンテンツのリスト検索機能では、タイトル、アーティスト名などの、あるコンテンツを検索できるキーワード自体をユーザが知らなければ、視聴はもとより販売する機会を得ることはより困難なものになるという問題があった。
【０００９】
斯かる点に鑑み、本発明は、ネットワークと通信可能な端末機器を持つユーザに対し、配信者側からユーザに適合した音楽コンテンツを配信し、音楽コンテンツの販売機会を増やす、音楽コンテンツ配信装置及び音楽コンテンツ配信システムを提案することを目的とする。
【００１０】
【課題を解決するための手段】
本発明は、ネットワーク経由でクライアント端末に音楽コンテンツを配信する音楽コンテンツ配信装置であって、ネットワーク上のウェブサーバに接続したクライアント端末からのウェブコンテンツ送信要求に際し、クライアント端末に応じた音楽コンテンツを選択する音楽コンテンツ選択手段と、該音楽コンテンツ選択手段により選択された音楽コンテンツを、ウェブコンテンツと結合させてウェブサーバに供給する結合手段とを備えるものである。
【００１１】
また、本発明は、音楽コンテンツ選択手段として、音楽コンテンツ及び当該音楽コンテンツに付随する情報を蓄積している音楽コンテンツ情報蓄積部と、クライアント端末の利用者に関する情報を蓄積している利用者情報蓄積部と、クライアント端末の利用者情報に基づき音楽コンテンツ情報を選択する音楽コンテンツ選択部とを有するものである。
【００１２】
斯かる本発明によれば、ネットワークを介して、利用者がウェブコンテンツにアクセスした際に、利用者の端末機器に対し、利用者に応じた音楽コンテンツをそのウェブコンテンツに付加して配信するようにしたので、利用者毎に適した音楽を能動的に視聴させるようにする。
【００１３】
また、本発明は、クライアント端末利用者への音楽コンテンツの配信状況または利用者の反応状況に応じて、利用者情報蓄積部に蓄積されている利用者情報を更新する利用者情報計算部を有する音楽コンテンツ更新手段を備えるものである。
【００１４】
斯かる本発明によれば、例えば利用者の趣味、嗜好などの利用者固有の情報を、利用者への音楽コンテンツの配信状況または利用者の反応状況に応じて反映するようにする。
【００１５】
【発明の実施の形態】
以下、図１〜図５を参照して、本発明の音楽コンテンツ配信装置の一実施の形態の例について説明する。図１は、例えば、ネットワーク通信機能を備える端末機器から、図示しないインターネットサービスプロバイダ等を介して、ネットワーク上の音楽販売業者運営のＷｅｂサーバ（ウェブサーバ）にアクセスし、所望の音楽コンテンツ配信サイトを閲覧中に、ウェブサーバより音楽コンテンツをユーザに配信して、ＢＧＭとして視聴してもらい、気に入ったものがあれば購入してもらう例としてある。本例では、ユーザがコンテンツ配信サイト閲覧中に、ユーザにおすすめのコンテンツの一部または全部をＢＧＭとして視聴させることによって、ＣＭソングやドラマの主題歌のように、ユーザが未知のコンテンツを聞く機会を作り、そのコンテンツに対して興味を持たせ、潜在的な客の購買意識を高めるようにしている。
【００１６】
１は、パーソナルコンピュータ（以下、ＰＣと称する。）やＰＤＡ（携帯情報端末）等の端末機器を示し、ネットワーク通信機能を備え、ユーザが図示しないＧＵＩ（グラフィック・ユーザ・インターフェース）等を操作して、ネットワーク上のウェブサーバ内のコンテンツ配信サイトの提示するコンテンツを閲覧するブラウザを備えるとともに、スピーカ１ｂを備え、ウェブサイト上で閲覧した音楽コンテンツをユーザが視聴することができる。なお、本例の端末機器に搭載されるネットワーク通信機能は、有線通信であるか、無線通信であるかは問わない。
【００１７】
この端末機器１は、ユーザがネットワーク２に接続された端末から音楽コンテンツ（以下、単にコンテンツと称する。）や商品等の購入手続きを行うために利用する。ブラウザ１ａを備え、文字や画像等の表示、音の再生ができればよく、家電や、携帯電話、ＰＤＡ等の携帯端末機器であってもかまわない。この場合、ユーザが音楽コンテンツにアクセスする際の場所や時間などの制約が少なくなるため、より販売機会を増やすことができる。
【００１８】
ブラウザ１ａは、ユーザがコンテンツ配信サイトを閲覧するためのもので、例えば、マイクロソフト社製のＩｎｔｅｒｎｅｔ  Ｅｘｐｌｏｒｅｒなどのウェブブラウザが挙げられる。ロードされたＢＧＭコンテンツは、ブラウザ１ａの機能拡張に使われるプラグインなどで音を再生する。ブラウザ１ａは、ネットワーク２からダウンロードした文字や画像等の表示、音の再生ができればよく、専用のソフトウェアであってもかまわない。この場合、ＰＣ以外の、スペックや性能の劣る家電、携帯端末機器等にも実装が容易になる。
【００１９】
ネットワーク２は、インターネットなどのグローバルネットワークの他に、ＬＡＮなどの地域等を限定した限られたネットワークであってもよい。
【００２０】
３は、音楽コンテンツ配信装置を表し、アクセスしてきた端末機器１のブラウザにウェブコンテンツを送るウェブサーバ４、コンテンツ配信サイトのコンテンツデータを蓄積・保持しているウェブコンテンツデータベース６、ユーザに送るＢＧＭを選択するＢＧＭコンテンツ選択手段７、及びウェブコンテンツにＢＧＭを付加して結合させる結合手段５より構成される。
【００２１】
ＢＧＭコンテンツ選択手段７は、音楽コンテンツ情報蓄積部であるＢＧＭコンテンツデータベース９と、端末機器１の利用者情報蓄積部であるユーザプロファイルデータベース１０と、音楽コンテンツ選択部であるＢＧＭコンテンツ選択部８から構成されている。
【００２２】
ＢＧＭコンテンツデータベース９は、ＢＧＭとして使用する音楽コンテンツデータと、それに付随するメタ検索サービスのキーワードとなるメタデータを保持する。図２に音楽コンテンツデータの一例を示すように、例えば、「タイトル」、「メインアーティスト名」、「アーティスト名」、「作曲者名」、「レコード会社」、「ジャンル」、「主たるファンの年齢層」、「主たるファンの性別」、「主たるファンの職業」、「邦楽・洋楽分類」、「新譜」、「レコード会社おすすめ度」、「売り上げ成績」、・・・など種々挙げられる。ジャンル、アーティスト名などのコンテンツのメタデータをキーに検索できるもので、ＢＧＭコンテンツ選択部８に接続され、指定されたコンテンツやそのメタデータをＢＧＭコンテンツ選択部に送る。
【００２３】
ＢＧＭコンテンツ選択部８は、ユーザプロファイルに基づいて、ＢＧＭコンテンツデータベース９からＢＧＭを決定する。ユーザプロファイルは、ある特定のユーザ固有の情報であり、ＢＧＭコンテンツ選択部８がユーザに視聴させるＢＧＭコンテンツを決定する際の基準に使用される。例えば、図３に示すように、「ユーザＩＤ」、「性別」、「年齢」、「職業」、「国籍」、「購入回数」、「嗜好ジャンル」、「好きなアーティスト」、「邦楽・洋楽の好み」、「購入履歴」、「ＢＧＭ履歴」、・・・など、ユーザを特定するとともに、好みの傾向を表す情報から構成されている。これらの情報は、数値などで重み付けられ、全ユーザのユーザプロファイルをユーザプロファイルデータベース１０として保持する。
【００２４】
ユーザプロファイルはＢＧＭ用のコンテンツを選択する基準となればよく、必ずしもユーザの好みでなくともよい。例えば、年齢、性別、職業などの値で、外部から入手した音楽の嗜好傾向調査の結果などを使ってＢＧＭ用コンテンツを選択してもよい。この場合、より精度の高い統計データを採用可能というメリットがある。ユーザプロファイルの作成は、基本のユーザプロファイルをコンテンツ配信者が用意するか、本音楽コンテンツ配信サービスへの会員登録時などに、ユーザが初期値を登録し、それ以降は、ユーザが購入した曲のメタ情報を反映したり、ユーザ自身やコンテンツ配信者の再入力によって更新を行うなどする。
【００２５】
ここで、音楽コンテンツ選択手段７において行われるＢＧＭコンテンツ選択処理について、図４のフローチャートを参照しながら説明する。まず、現在ウェブサーバ４にアクセスしている端末機器１のユーザを特定する情報を受信し（ステップＳ１）し、ユーザプロファイルデータベース１０からこのユーザに関するユーザプロファイルを検索する（ステップＳ２）。ここで、ユーザプロファイルが見つかったか否かを判断し（ステップＳ３）、ユーザプロファイルが見つかった場合、ＢＧＭコンテンツデータベース９からユーザプロファイルと適合するＢＧＭを選択する（ステップＳ４）。適合するＢＧＭが見つかった否かを判断し（ステップＳ６）、ＢＧＭが見つかった場合、ＢＧＭコンテンツ選択部８から結合手段５にそのＢＧＭを送り、ＢＧＭコンテンツ選択処理が終了する。
【００２６】
上述ステップＳ３にて、ユーザプロファイルが見つからない場合、このユーザ用にユーザプロファイルを新規に作成（ステップＳ５）し、ステップＳ４の処理に移行して、ユーザプロファイルと適合するＢＧＭを選択する。
【００２７】
ステップＳ６の処理において、ユーザに勧めるのに適したＢＧＭが見つからなかった場合、予め全てのユーザに平均的に適合するように設定されたデフォルトＢＧＭを選択し（ステップＳ７）、ＢＧＭコンテンツ選択部８から結合手段５にそのＢＧＭを送り、ＢＧＭコンテンツ選択処理を終了する。
【００２８】
結合手段５は、ウェブコンテンツデータベース６にあるコンテンツ配信サイトのコンテンツデータと、ＢＧＭコンテンツ選択手段７のＢＧＭコンテンツ選択部８で選択されたＢＧＭコンテンツを結合し、ウェブサーバ４へ送り、端末機器１にＢＧＭコンテンツを送信する。
【００２９】
次に、図本例の音楽コンテンツ配信装置による視聴コンテンツ配信時の動作について説明する。ユーザのＧＵＩ操作により端末機器１をネットワーク２に接続しコンテンツ配信サイトにログインすると、コンテンツ配信者３のＢＧＭコンテンツ選択部８が、そのユーザのプロファイルをユーザプロファイルデータベース１０からロードする。ＢＧＭコンテンツ選択部８はユーザプロファイルに基づいて適合するＢＧＭコンテンツを、ＢＧＭコンテンツデータベース９から選択する。そして、結合手段５によって、ウェブコンテンツデータベース６にあるコンテンツ配信サイトのコンテンツデータと、ＢＧＭコンテンツ選択手段７で選択されたＢＧＭコンテンツを結合して、ウェブサーバ４へ送る。端末機器１は、ネットワーク２を介して、ウェブサーバ４より、このウェブコンテンツとＢＧＭコンテンツを受信し、ユーザはスピーカ１ｂを通してＢＧＭコンテンツを視聴することができる。
【００３０】
このＢＧＭコンテンツ選択時に、ＢＧＭコンテンツとして候補にあがった上位何曲かを選択して、例えばユーザプロファイルデータベース１０にタイトル名を保存しておけば、このユーザに対して選択処理を繰り返さなくてすむ。また、例えば、新譜には高い重み付けを行い、過去にＢＧＭとして使用したコンテンツ、このユーザが購入したコンテンツについては低い重み付けをするなどの重み付けの操作によって、コンテンツ配信者の意図を反映させることができる。音楽コンテンツ配信者３は、選択されたコンテンツをネットワーク経由でユーザのブラウザへ伝送し、それを受けたユーザのブラウザはＢＧＭとして再生する。
【００３１】
ユーザは従来のコンテンツ配信サービス同様に、自らコンテンツを検索、視聴することもできる。もし、ユーザが意図的にあるコンテンツの視聴を、ＢＧＭ再生中に行いたい場合は、流れているＢＧＭを中断するなどしてユーザが意図するＢＧＭの視聴を優先する。また、再生中のＢＧＭをスキップできる機能があれば、ユーザに不快感を与えずに済み、また、その記録をプロファイルに反映させることによってユーザの好みの傾向を知ることができる。さらに、ＢＧＭを気に入ったかどうかを、ネットワークを介してユーザにアンケート等により回答させるなど行うと、さらに詳細にユーザの好みを抽出することができる。
【００３２】
ＢＧＭ再生中には、そのＢＧＭコンテンツのタイトル、アーティスト名、ランキング等のメタデータを、端末機器１の図示しないＧＵＩの表示画面の所定位置に表示する。これによってユーザに曲の情報を与えるとともに、曲の印象を強く持たせる。これは常に表示する必要はなく、ユーザが確認を希望したときにのみ表示するものでもよい。
【００３３】
図５は、ユーザプロファイルの更新を行うための構成を示したものである。図中、図１と対応する部分は同一符号を付して示す。音楽コンテンツ配信者３内にユーザプロファイルデータベース１０とともにＢＧＭコンテンツ更新手段１１を構成するユーザプロファイル計算部１２は、端末機器１からネットワーク２を介してウェブサーバ４に送信されるユーザプロファイルを監視し、ユーザプロファイルの内容に変更があった場合には、ユーザプロファイルデータベース１０に保持されているユーザプロファイルの更新を行う。
【００３４】
例えば、ユーザが音楽コンテンツを購入した場合は、ユーザプロファイル計算部１２でユーザが購入したコンテンツをユーザプロファイルに反映させる。例えば、今回ユーザが購入したコンテンツのジャンル、アーティストが次回のＢＧＭ選択時に選ばれやすいような値がこのユーザのプロファイルに反映される。また、上述のユーザによるＢＧＭの視聴操作記録やアンケートの結果などを、ユーザプロファイルデータベース１０に反映し、常に、ユーザに適合するプロファイルデータを維持するので、よりユーザの嗜好にあったＢＧＭを配信して視聴してもらうことができ、ユーザの潜在的な購買意欲の向上が期待できる。
【００３５】
以上述べた本例の構成によれば、ユーザがアクセスしているウェブコンテンツに、ＢＧＭコンテンツを付加して配信するので、未知のＢＧＭコンテンツに対して、能動的に興味を持たせることによって音楽コンテンツの販売機会を増やすことができる。
【００３６】
また、従来は、ユーザが意図しなければ音楽を聞かせることができなかったが、本例では、ユーザが視聴する機会を増やし、従来の方式よりも能動的にユーザにコンテンツを勧めることができる。
【００３７】
また、ユーザの好みを知る手段として、音楽コンテンツ配信者がユーザに対しＢＧＭを能動的に視聴させ、そのＢＧＭが受け入れられたかどうか反応を得るという、従来にはない方法が可能になり、それによって、詳細にユーザの傾向を知ることができる。
【００３８】
次に、図６を参照して、本発明の音楽コンテンツ配信装置の他の実施の形態の例について説明する。この図中、図１に対応する部分には同一符号を付して示す。図１と図６は機能的な構成は同じであるが、大きな違いは、図１のものは、ウェブコンテンツデータベース６とＢＧＭコンテンツデータベース９の所有者は同じ音楽コンテンツ配信者であるが、図６のものは、ウェブコンテンツデータベース２６とＢＧＭコンテンツデータベース９の管理者が異なることを想定して構成されている点である。
【００３９】
図６は、結合手段５及びＢＧＭコンテンツ選択手段７とで音楽コンテンツ付加手段である情報付加手段２３を構成し、ウェブコンテンツデータベース２６及びウェブサーバ２４とともに、ＢＧＭ付加ウェブサイト運営者が所有している。ウェブコンテンツデータベース２６のウェブコンテンツは、情報付加手段２３の結合手段５によりＢＧＭコンテンツと結合され、ウェブサーバ２４からネットワーク２を通して端末機器１に送信される。
【００４０】
なお、図１のウェブサーバ４と図６のウェブサーバ２６、図１のウェブコンテンツデータベース６と図６のウェブコンテンツデータベース２６は、機能的にはいずれも同様であるとする。また、図６の例においても、情報付加手段２３は、図５に示すような、ユーザプロファイル更新手段を有しており、ユーザプロファイルが適宜更新される。
【００４１】
図６の例では、ウェブコンテンツデータベース２６を所有しているのが、ＢＧＭ付加ウェブサイトを運営する、例えば自動車販売会社であり、情報付加手段２３は、例えば音楽コンテンツ配信者が自動車販売会社と契約または提携などして、この自動車販売会社のウェブコンテンツ配信サービスに提供したＢＧＭ視聴機能であるとする。
【００４２】
この場合、音楽コンテンツデータに自動車やドライブに関する項目を設定しておく。そして、例えば自動車に関する情報を得る目的でウェブサーバ２４にアクセスしたユーザに対し、音楽コンテンツ配信者が、ドライブしながら視聴するに心地よいと思われる等のＢＧＭコンテンツを配信することで、音楽コンテンツの購買機会を増やすことができる。
【００４３】
このように、音楽コンテンツを販売したい音楽コンテンツ配信者は、ある特定のサイトと提携して、その提携先のサイトにＢＧＭ視聴機能を付加することで、音楽コンテンツの購買機会を増やしたり、潜在的な購買層を開拓することができる。逆に、利用者がＢＧＭを視聴することにより、例えば、この例では利用者の自動車購買に対する気持ちが高揚し、購買意欲が向上する等、提携サイトの販売したい商品の売り上げへの貢献も期待できる。その他は、図１の例と同様の作用、効果が得られる。
【００４４】
次に、図７を参照して、本発明の音楽コンテンツ配信システムの実施の形態の例について説明する。図中、図１及び図６と対応する部分には同一符号を付して示す。３３は、結合手段５及びＢＧＭコンテンツ選択手段７からなり、ウェブコンテンツに音楽コンテンツを付加する情報付加サーバであり、３４及び３６は任意のサイト運営者がネットワーク上に所有するウェブサーバ及びウェブコンテンツデータベースである。この情報付加サーバ３３は、この例では、音楽コンテンツ配信者が、例えばインターネット等へのネットワーク接続サービスプロバイダと契約または提携して、ユーザが閲覧し得るあらゆるサイトのウェブコンテンツにＢＧＭを付加して視聴させるＢＧＭ視聴機能をサービスプロバイダサーバの機能の一つに取り込んだものであるとする。
【００４５】
サイト運営者３０のウェブサーバ３４よりのウェブコンテンツに、ＢＧＭコンテンツ選択手段７より供給されるＢＧＭコンテンツを、結合手段５により結合させ、端末機器１に送信して、ユーザが音楽コンテンツを視聴することができるように構成されている。尚、この例において、ウェブサイト３４は図１及び図６のウェブサーバ４，２４と、ウェブコンテンツデータベース３６は図１及び図６のウエブコンテンツデータベース６，２６と、それぞれ同様の機能を有するものとする。また、図７の例においても、情報付加サーバ３３は、図５に示すような、ユーザプロファイル更新手段を有しており、ユーザプロファイルが適宜更新される。
【００４６】
このような構成において、ユーザ操作により、端末機器１からネットワーク２に接続して、ウェブサーバ３４に接続した場合、ユーザはウェブサーバ３４を介して、ウェブコンテンツデータベース３６のウェブコンテンツを閲覧することができる。このとき、例えば、このネットワーク接続サービスプロバイダに対し、ユーザがＢＧＭ機能を使用しないように設定しておくと、ＢＧＭコンテンツを含まないウェブコンテンツのみのデータが端末機器１に送信される。
【００４７】
一方、ユーザが閲覧しうるあらゆるサイトからのウェブコンテンツに対し、ＢＧＭが付加されるＢＧＭ視聴機能を、ユーザが受け入れた場合には、ウェブサーバ３４からのウェブコンテンツは、情報付加サーバ３３を経由する際、ＢＧＭコンテンツが付加される。そして、ＢＧＭコンテンツが付加されたウェブコンテンツデータが、端末機器１に送信される。
【００４８】
この場合、例えば、ユーザがＢＧＭ機能を受け入れた場合、音楽コンテンツ配信者がユーザのネットワーク接続サービスプロバイダに対し支払う料金の一部を負担して、ユーザのネットワーク接続料金を安くするようにする。そして、その代わりに、音楽コンテンツ配信者は、ユーザがアクセスし得るあらゆるサイトにＢＧＭ付加機能を適用し、任意のウェブコンテンツに音楽コンテンツを付加して、ユーザに音楽コンテンツを配信することができ、音楽コンテンツの販売機会を増やす機会を得ることができる。その他、図１の例と同様の作用、効果が得られる。
【００４９】
尚、本発明は上述した実施の形態の例に限られるものではなく、本発明の要旨を逸脱することなくその他種々の構成を取り得ることは勿論である。
【００５０】
【発明の効果】
斯かる本発明によれば、ネットワークを介して、ユーザがウェブコンテンツにアクセスした際に、ユーザの端末機器に対し、利用者に応じた音楽コンテンツをそのウェブコンテンツに付加して配信するようにしたので、利用者毎に適した音楽を能動的に視聴させることができ、未知のコンテンツに対して興味を持たせる機会が得られ、コンテンツの販売機会を増やすことができる効果がある。
【００５１】
また、利用者に応じた未知の音楽を視聴する機会を増やし、従来方式よりも能動的に、かつ効率よく音楽コンテンツを利用者に勧めることができる効果がある。
【００５２】
また、本発明によれば、例えば利用者の趣味、嗜好などの利用者固有の情報を、利用者への音楽コンテンツの配信状況または利用者の反応状況に応じて反映するので、利用者に合わせて効率よく音楽コンテンツ配信を行うことができる効果がある。
【図面の簡単な説明】
【図１】本発明の音楽コンテンツ配信装置の一実施の形態の例を示す構成図である。
【図２】音楽コンテンツデータの一例を示す線図である。
【図３】ユーザプロファイルデータの一例を示す線図である。
【図４】本発明の一実施の形態の例の説明に供するフローチャートである。
【図５】本発明の一実施の形態の例のユーザプロファイルの更新システムを示す線図である。
【図６】本発明の音楽コンテンツ配信装置の一実施の形態の例を示す構成図である。
【図７】本発明の音楽コンテンツ配信システムの一実施の形態の例を示す構成図である。
【符号の説明】
１…端末機器、１ａ…ブラウザ、１ｂ…スピーカ、２…ネットワーク、３…音楽コンテンツ配信者、４，２４，３４…Ｗｅｂサーバ、５…結合手段、６，２６，３６…Ｗｅｂコンテンツデータベース、７…ＢＧＭコンテンツ選択手段、８…ＢＧＭコンテンツ選択部、９…ＢＧＭコンテンツデータベース、１０…ユーザプロファイルデータベース、１１…ＢＧＭコンテンツ更新手段、１２…ユーザプロファイル計算部、２０…ＢＧＭ付加Ｗｅｂサイト運営者、２３…情報付加装置、３０…サイト運営者、３３…情報付加サーバ
【図１】
2004341229.tif 000003
【図２】
2004341229.tif 000004
【図３】
2004341229.tif 000005
【図４】
2004341229.tif 000006
【図５】
2004341229.tif 000007
【図６】
2004341229.tif 000008
【図７】
2004341229.tif 000009